(57)【要約】【課題】施錠装置が設けられた建築用シャッター装置において、シャッターカーテンの材質に拘わらず操作性のよいシャッター装置を構成する。【解決手段】シャッターカーテン２の下端部に設けられたラッチ錠Ｒの解錠レバー８ｅに操作紐９の一端部９ａを連結し、該操作紐９の操作でシャッターカーテンを開閉操作するようにしたシャッター装置１において、シャッターカーテン２の全閉姿勢において、操作紐９の他端部９ｂにシャッターカーテン２の側部を移動案内するガイド溝５ｄの溝開口５ｅの屋内側に形成される隙間に挿抜自在に挿し込まれて保持される作用部１０ｂが形成された握り部材１０を設ける構成とする。【選択図】図１
2010248886.tif 000002
【特許請求の範囲】
【請求項１】
開口部を開閉するシャッターカーテンの左右両側を、開口部に設けたガイドレールのガイド溝に嵌挿してなるシャッター装置において、シャッターカーテンの下端部に、シャッターカーテンの全閉姿勢への変姿でシャッターカーテンを施錠状態とし、解錠部材の解錠操作で解錠する施錠装置を設け、前記解錠部材に紐状の操作具の一端部を連結して、該操作具の上動操作で施錠装置の解錠とシャッターカーテンの開放とが行えるよう構成するにあたり、前記操作具の他端部には、ガイド溝にシャッターカーテンがガイドされる状態で、ガイド溝の溝開口の屋内側に形成される隙間に挿抜自在に挿し込まれて保持される第一の保持部が形成された握り部材が設けられていることを特徴とする建築用シャッター装置。
【請求項２】
操作具の他端部には、ガイド溝の溝開口に挿抜自在に挿し込まれて保持される第二の保持部が形成された握り部材が設けられていることを特徴とする請求項１に記載の建築用シャッター装置。
【請求項３】
第一、第二の保持部は、一つの握り部材に設けられていることを特徴とする請求項２に記載の建築用シャッター装置。
【請求項４】
握り部材は、挿し込み方向先端ほど板厚が薄くなり、最大板厚がガイド溝の溝開口幅よりも厚く形成され、板厚の薄い先端側から順次第一、第二の保持部が形成されていることを特徴とする請求項３に記載の建築用シャッター装置。
【請求項５】
握り部材は、第一の保持部の挿し込み方向先端側に平板面を有した薄板状の誘導部が形成されていることを特徴とする請求項４に記載の建築用シャッター装置。
【請求項６】
握り部材は、シャッターカーテンに対向する側の面が湾曲状に形成されていることを特徴とする請求項１乃至５の何れか１項に記載の建築用シャッター装置。
【発明の詳細な説明】
【技術分野】
【０００１】
本発明は、住宅の窓部等に配される建築用シャッター装置の技術分野に関するものである。
【背景技術】
【０００２】
一般に、建築用シャッター装置のなかには、例えば住宅の窓部に設けられるもののように、開口部の左右両側にガイドレールを配し、該ガイドレールに案内される状態でシャッターカーテンが開閉作動するよう構成したものがある。このようなものにおいて、シャッターカーテンを手動により開閉操作するものでは、シャッターカーテンを施錠する施錠装置の解錠レバーに遠隔操作部としての操作紐を連結し、シャッターカーテンが全閉姿勢となって施錠装置が施錠されている状態では、前記操作紐を上動させることにより、施錠装置を解錠するとともに、シャッターカーテンを開放作動させ、シャッターカーテンが全開姿勢となっている状態では、操作紐を下動させることにより、シャッターカーテンを閉鎖作動させることができるように構成したものが提唱されており、このようにすることで、シャッター装置の操作性の改善が図れるようにしている。
【先行技術文献】
【特許文献】
【０００３】
【特許文献１】特開２００１−７３６１０号公報
【発明の概要】
【発明が解決しようとする課題】
【０００４】
ところで、前記従来のものは、操作紐の遊端部に握り部材を設けて操作紐の操作が容易になるようにするとともに、握り部材に磁石を設けて、シャッターカーテンが全開姿勢となっている状態では、握り部材（磁石配設部）を施錠装置よりも下方の開口部に垂下させることで、握り部材を操作者にとって操作しやすい高さに位置させる一方、シャッターカーテンが全閉姿勢となっている状態では、操作紐を解錠レバーよりも上方に引き上げて磁石をシャッターカーテンの室内側面に磁着することにより、握り部材が操作者にとって操作しやすい高さに位置するようにして、シャッターカーテンの開閉操作を、背伸びしたり、屈んだりすることなく操作性よく行えるようにしている。このため、シャッターカーテンの材料を、磁石が磁着可能な材料に限定しなければならず、汎用性に劣るという問題がある。さらには、シャッターカーテンの開放時に開口部に垂下する操作紐が邪魔になったり、操作紐に連結された握り部材が強風に煽られたような場合では、握り部材が周辺の部材に当接して騒音を発生するという問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、開口部を開閉するシャッターカーテンの左右両側を、開口部に設けたガイドレールのガイド溝に嵌挿してなるシャッター装置において、シャッターカーテンの下端部に、シャッターカーテンの全閉姿勢への変姿でシャッターカーテンを施錠状態とし、解錠部材の解錠操作で解錠する施錠装置を設け、前記解錠部材に紐状の操作具の一端部を連結して、該操作具の上動操作で施錠装置の解錠とシャッターカーテンの開放とが行えるよう構成するにあたり、前記操作具の他端部には、ガイド溝にシャッターカーテンがガイドされる状態で、ガイド溝の溝開口の屋内側に形成される隙間に挿抜自在に挿し込まれて保持される第一の保持部が形成された握り部材が設けられていることを特徴とする建築用シャッター装置である。
請求項２の発明において、操作具の他端部には、ガイド溝の溝開口に挿抜自在に挿し込まれて保持される第二の保持部が形成された握り部材が設けられていることを特徴とする請求項１に記載の建築用シャッター装置である。
請求項３の発明において、第一、第二の保持部は、一つの握り部材に設けられていることを特徴とする請求項２に記載の建築用シャッター装置である。
請求項４の発明において、握り部材は、挿し込み方向先端ほど板厚が薄くなり、最大板厚がガイド溝の溝開口幅よりも厚く形成され、板厚の薄い先端側から順次第一、第二の保持部が形成されていることを特徴とする請求項３に記載の建築用シャッター装置である。
請求項５の発明において、握り部材は、第一の保持部の挿し込み方向先端側に平板面を有した薄板状の誘導部が形成されていることを特徴とする請求項４に記載の建築用シャッター装置である。
請求項６の発明において、握り部材は、シャッターカーテンに対向する側の面が湾曲状に形成されていることを特徴とする請求項１乃至５の何れか１項に記載の建築用シャッター装置である。
【発明の効果】
【０００６】
請求項１の発明とすることにより、握り部材を操作しやすい位置に保持することができて操作性よくシャッターカーテンの開放操作ができるものでありながら、シャッターカーテンの材質を限定する必要がなく、汎用性を高めることができる。
請求項２の発明とすることにより、握り部材を操作しやすい位置に保持することができて、操作具が邪魔になるようなことがないばかりでなく、操作性よくシャッターカーテンの閉鎖操作ができる。
請求項３の発明とすることにより、握り部材の構成の簡略化を図れるうえ、部品点数の削減を図れる。
請求項４の発明とすることにより、握り部材をガイドレールに対して挿し込む位置が限定されることがないうえ、ガイド溝にシャッターカーテンがガイドされる状態であっても、ガイドされない状態であっても、握り部材を同じ挿し込み方向で挟持保持させることができて操作性に優れ、しかも、異なる形状のスラットにも対応可能となって、部材の共通化を図れる。
請求項５の発明にすることにより、握り部材のガイド溝への挿し込み深さを深くすることができて、握り部材を安定した姿勢でガイド溝に挟持保持させることができる。
請求項６の発明とすることにより、握り部材をシャッターカーテンに沿わせて挿し込むことで挿し込み操作が円滑になるうえ、挿し込まれた握り部材とカーテン面との接触面積を大きく確保できて、握り部材を一層安定した姿勢でガイド溝に挟持保持させることができる。
【図面の簡単な説明】
【０００７】
【図１】図１（Ａ）はシャッターカーテンの全閉姿勢におけるシャッター装置の屋内側からの正面図、図１（Ｂ）はシャッターカーテンの全開姿勢におけるシャッター装置の屋内側からの正面図である。
【図２】図２（Ａ）、（Ｂ）はラッチ錠を説明する正面図、断面図である。
【図３】図３（Ａ）、（Ｂ）、（Ｃ）、（Ｄ）、（Ｅ）、（Ｆ）はそれぞれ握り部材の正面図、平面図、底面図、図３（Ｂ）のＹ−Ｙ断面図、側面図、図３（Ａ）のＸ−Ｘ断面図である。
【図４】図４（Ａ）、（Ｂ）はそれぞれシャッターカーテンの全閉姿勢における握り部材の隙間への挿し込み状態を説明する平面図、側面図であり、図４（Ｃ）、（Ｄ）はそれぞれシャッターカーテンの全開姿勢における握り部材の隙間への挿し込み状態を説明する平面図、側面図である。
【図５】図５（Ａ）、（Ｃ）、（Ｅ）はそれぞれ握り部材の他のスラット形状への対応状態を説明する平面図、図５（Ｂ）、（Ｄ）、（Ｆ）はそれぞれ握り部材の他のスラット形状への対応状態を説明する側面図である。
【図６】図６（Ａ）、（Ｂ）、（Ｃ）、（Ｄ）、（Ｅ）はそれぞれ第二の実施の形態における握り部材の正面図、平面図、底面図、図６（Ａ）のＸ−Ｘ断面図、側面図である。
【図７】図７（Ａ）、（Ｃ）、（Ｅ）、（Ｇ）、（Ｉ）はそれぞれ第二の実施の形態における握り部材の隙間への挿し込み状態を説明する平面図、図７（Ｂ）、（Ｄ）、（Ｆ）、（Ｈ）、（Ｊ）はそれぞれ第二の実施の形態における握り部材の隙間への挿し込み状態を説明する側面図である。
【図８】図８（Ａ）、（Ｂ）、（Ｃ）、（Ｄ）、（Ｅ）、（Ｆ）はそれぞれ第三の実施の形態における握り部材の正面図、底面図、背面図、図８（Ａ）のＸ−Ｘ断面図、図８（Ａ）の左側面図、図８（Ａ）の右側面図である。
【図９】図９（Ａ）、（Ｃ）、（Ｅ）、（Ｇ）、（Ｉ）はそれぞれ第三の実施の形態における握り部材の隙間への挿し込み状態を説明する平面図、図９（Ｂ）、（Ｄ）、（Ｆ）、（Ｈ）、（Ｊ）はそれぞれ第三の実施の形態における握り部材の隙間への挿し込み状態を説明する側面図である。
【発明を実施するための形態】
【０００８】
以下、本発明の第一の実施の形態について、図面に基づいて説明する。
図面において、１は住宅の窓部に設けられるバランス式（手動式）の建築用シャッター装置であって、該シャッター装置１を構成するシャッターカーテン２は、左右方向に長いスラット３の複数枚を上下方向に連結して構成されており、該シャッターカーテン２の上端部が、躯体開口部の上方に配されるシャッターケースＣに正逆回転自在に内装される巻取りドラム４に連結されている。前記巻取りドラム４には、シャッターカーテン２が巻出されることに伴い、該巻出されたシャッターカーテン２の自重にバランスする付勢力を蓄勢するように構成されバランス弾機４ａが設けられている。そして、シャッターカーテン２は、左右両側縁部が窓部屋外側の左右に立設されたガイドレール５に嵌挿されて上下方向の移動案内を受けるように構成され、シャッターカーテン２を下方へ引き下げる閉鎖操作がなされることにより、シャッターカーテン２が巻取りドラム４から巻出されて開口部を閉鎖する全閉姿勢となるとともに、前述したように、バランス弾機４ａが蓄勢され、上方へ引き上げる開放操作がなされることにより、シャッターカーテン２がバランス弾機４ａの付勢力を受ける状態で上動して巻取りドラム４に巻取られ、開口部を開放する全開姿勢となるように構成されており、これらの構成は何れも従来通りである。
【０００９】
ここで、前記シャッターカーテン２は、前述したように複数枚のスラット３を用いて構成されるが、各スラット３は、左右方向に長い長尺体に形成された金属材をロールフォーミングすることによって形成されるものであり、屋外側（外側）に向けて膨出するよう湾曲形成されて湾曲面を有したスラット片部３ａと、該スラット片部３ａの上下縁部（短尺方向両端部）に形成される側面視ロール形状で円弧面を有した第一、第二連結片部（インターロック片）３ｂ、３ｃとにより構成されている。そして、シャッターカーテン２は、下側に位置するスラット３の第一連結片部３ｂと、上側に位置するスラット３の第二連結部３ｃとを、左右方向からスライド嵌入することにより、隣接するスラット３同士の揺動自在な連結がなされ、もって、一連状のシャッターカーテン２が構成されている。
【００１０】
一方、前記ガイドレール５は、屋内外方向（表裏方向）に対向する一対の溝側片５ａ、５ｂと、これら溝側片５ａ、５ｂを左右方向外方において連結する溝底片５ｃとにより、左右方向内方が開口し、シャッターカーテン２の左右の側縁部が上下方向移動自在に嵌挿するガイド溝５ｄを備えて構成されている。尚、屋内側溝側片５ａは、左右方向内方の端縁から屋外側に延出しており、シャッターカーテン２のカーテン面に近接してシャッターカーテン２の移動案内をするガイド溝５ｄの溝開口５ｅはガイド溝５ｄの溝奥側の溝幅よりも狭められており、ガイド溝５ｄを蟻溝形状としている。さらに、前記溝開口５ｅには、それぞれ対向する側が開口するモヘアポケット５ｆがレール長方向全長にわたって形成されており、これらモヘアポケット５ｆに、シャッターカーテン２の保護部材であるとともに騒音防止効果を図るためのモヘア（図示せず）の基端部が抜止め状に嵌入支持されるように構成されている。
【００１１】
また、シャッターカーテン２の最下端には座板６が設けられているが、該座板６は、上下方向を向く垂直面で構成されるスラット片部６ａと、該スラット片部６ａの下方から屋内側に延出する下端片部６ｂと、スラット片部６ａの上縁部に形成されるインターロック片部６ｃとを備えて構成されており、該インターロック片部６ｃを介して上側のスラット３に連結されている。前記スラット片部６ａの屋内側面には、下端片部６ｂの上方に位置して上下一対の突片６ｄが屋内側に向けて突出形成されており、これら突片６ｄにより左右方向に貫通する蟻溝状の凹部６ｅが長手方向全長にわたって形成されている。
【００１２】
そして、座板６には左右方向略中央部に位置して施錠装置としてのラッチ錠Ｒが設けられており、シャッターカーテン２が全閉姿勢になることに伴い、左右のガイドレール５下端部の溝底片５ｃにそれぞれ設けられたラッチ受け７に自動的に係止することにより、全閉姿勢のシャッターカーテン２の開放が規制される施錠状態となるように構成されている。
前記ラッチ錠Ｒを構成する錠ユニット８は、本実施の形態では、座板６の左右方向略中央部に位置し、屋内側に突出する凹部６ｅの開口を塞ぐようにして設けられている。そして、錠ユニット８には、左右のガイドレール５の各ラッチ受け７にそれぞれ係脱自在に係止する左右一対のラッチバー８ａ、８ｂの基端部が連結されているが、これらラッチバー８ａ、８ｂは、それぞれ座板６の凹部６ｅに嵌入し、該凹部６ｅにガイドされる状態で左右方向への進退移動が自在となるように構成されている。
さらに、錠ユニット８には、前記一対のラッチバー８ａ、８ｂをそれぞれ左右方向外方に進出するよう（施錠状態となるよう）付勢する付勢弾機８ｃ、８ｄと、ラッチバー８ａ、８ｂに連繋する解錠レバー（本発明の解錠部材に相当する）８ｅとが設けられている。前記解錠レバー８ｅは、付勢弾機８ｃ、８ｄの付勢力に抗して上動操作がなされることにより、上方位置に変位してラッチバー８ａ、８ｂを左右方向内方に向けて退避させるように構成されている。このように、ラッチ錠Ｒは、解錠レバー８ｅを上動操作することが解錠操作となってラッチバー８ａ、８ｂを左右方向内方に退避させるが、解錠レバー８ｅの上動操作を解除した場合では、前記付勢弾機８ｃ、８ｄの付勢力を受けて解錠レバー８ｅが下方位置に変位するとともに、ラッチバー８ａ、８ｂが左右方向外方に向けて進出する自然状態に復帰するように構成されている。さらに、錠ユニット８には、解錠レバー８ｅの上方変位と下方変位とを規制する規制部８ｆ、８ｇとがそれぞれ設けられており、解錠レバー８ｅが上方位置を越えて上方変位すること、下方位置を越えて下方変位することをそれぞれ規制するように構成されている。
【００１３】
このように構成されたラッチ錠Ｒの錠ユニット８は、シャッターカーテン２が閉鎖操作され、シャッターカーテン２が閉鎖作動している状態では、一対のラッチバー８ａ、８ｂは左右方向外方に進出する自然状態となっている。そして、前記状態からシャッターカーテン２が全閉姿勢に閉鎖作動する過程では、左右のラッチバー８ａ、８ｂは、ガイドレール５のラッチ受け７に当接し、この状態からさらに閉鎖作動することにより、ラッチバー８ａ、８ｂがラッチ受け７に押圧される状態で付勢弾機の付勢力に抗して左右方向内方に退避しつつ下動し、ラッチバー８ａ、８ｂがラッチ受け７の下方に至る（乗り越える）ことに伴い、ラッチバー８ａ、８ｂがラッチ受け７の下方で左右方向外方に向けて進出する自然状態となり、ラッチバー８ａ、８ｂとラッチ受け７とが係止することによりシャッターカーテン２の開放を規制するように構成されている。これによって、ラッチ錠Ｒは、シャッターカーテン２の全閉姿勢への変姿に伴い、自動的にシャッターカーテン２を施錠状態とするように構成されている。
これに対し、シャッターカーテン２を開放操作する場合では、錠ユニット８の解錠レバー８ｅを上動操作（解錠操作）して上方位置に変位せしめ、ラッチバー８ａ、８ｂを付勢力に抗して左右方向内方に向けて退避させ、ラッチバー８ａ、８ｂとラッチ受け７との係止を解除するべくラッチ錠Ｒの解錠操作をしながら、シャッターカーテン２を開放操作することにより、シャッターカーテン２が開放するように構成されている。
【００１４】
そして、前記ラッチ錠Ｒの解錠レバー８ｅに、本発明の操作具に相当し、シャッターカーテン２の開閉操作をするための操作紐９の一端部９ａが連結されている。前記操作紐９は、樹脂製ロープ、紐体、帯状体、ワイヤ等、長尺状で、かつ、可撓性のある材料で構成することができ、本実施の形態では、樹脂製ロープが用いられている。そして、操作紐９の他端部９ｂには、本発明が実施された握り部材１０が連結されており、操作紐９、または、握り部材１０を把持して上下方向に操作することにより、該操作力が解錠レバー８ｅを介してシャッターカーテン２に作用して、シャッターカーテン２の開閉作動がなされるように構成されている。そして、後述するように、シャッターカーテン２の開閉操作の後に、握り部材１０をガイドレール５のガイド溝５ｄの溝開口５ｅに形成される隙間に挿抜自在に挿し込むことで握り部材１０を適宜高さに保持することができるように構成されている。
【００１５】
前記握り部材１０は、硬質、または、半硬質のゴム質樹脂材であって、例えば、スチレン−ブタジエンゴム等の合成ゴムを用いて形成することにより、所定の弾性変形が自在となるように構成されている。前記握り部材１０は、ガイドレール５への挿し込み姿勢において、左右方向に長い長尺形状をしており、長尺方向一半部には、直方体形状に形成される把持部１０ａが形成され、長尺方向他半部にはガイド溝５ｄの溝開口５ｅに形成される隙間に挿し込まれて、該隙間に挟持状に保持される作用部１０ｂが形成されている。前記握り部材１０の短尺方向（上下方向）の長さは、スラット３のスラット片部３ａの上下方向の長さよりも短く、スラット３の上下長さの半分程度の長さに設定されている。
【００１６】
さらに、前記作用部１０ｂを構成するシャッターカーテン２のカーテン面に沿う屋内外（表裏）一対の板面１０ｃ、１０ｄにおいて、少なくとも一方であって、本実施の形態では、屋内側板面１０ｃについては、他端側、即ち、ガイドレール５への挿し込み方向先端側ほど屋外側板面１０ｄ側に偏寄する傾斜面に形成されていて、作用部１０ｂは、挿し込み方向先端（他端部）側ほど板厚が薄くなる楔形状に形成されている。これによって、握り部材１０の作用部１０ｂは、表裏方向の板厚が他端側（先端側）に向けて順次薄くなり、一端側（基端側）の把持部１０ａ側ほど板厚が厚くなり、握り部材１０を握り部材作用部１０ｂの先端側からガイドレール５のガイド溝５ｄの溝開口５ｅに対して挿し込んだとき、挿し込み深さに応じて溝開口５ｅに対する握り部材１０の板厚が変化する（厚くなる）ように構成されている。そして、握り部材１０の板厚の最大値であって、作用部１０ｂの一端部側および把持部１０ａにおける板厚である最大板厚Ｔは、ガイドレール５のガイド溝５ｄの溝開口５ｅの溝幅（溝開口幅）Ｔ１であって、屋内外のモヘアポケット５ｆの対向間隔に相当する長さよりも長くなるように寸法設定されている。このように、握り部材１０の作用部１０ｂを楔形状とすることにより、作用部１０ｂには、後述するように、シャッターカーテン２がガイドされた溝開口５ｅの屋内側に形成される隙間に対して挿し込まれて挟持保持される第一保持部と、シャッターカーテン２が全開姿勢となって、シャッターカーテン２がガイドされていない溝開口５ｅに対して挿し込まれて挟持保持される第二保持部とが、薄板状の先端部（他端部）から基端部（一端部）にわたって順次形成されるように構成されている。
さらに、握り部材１０には、把持部１０ａ側となる一端側の端面１０ｅから操作紐９を引き出すべく引き出し用孔１０ｆが開設されており、操作紐９は、他端部９ｂに形成された結び玉９ｃにより引き出し用孔１０ｆから抜止めされた状態で引き出されるように構成されている。
【００１７】
このように構成された握り部材１０は、シャッターカーテン２の全閉姿勢では、解錠レバー１２ｅに連結される操作紐９を上方に引回し、例えば、図４（Ａ）、（Ｂ）に示すように、握り部材作用部１０ｂを、ガイド溝５ｄの溝開口５ｅの屋内側に形成される隙間であって、溝開口５ｅの屋内側部位となる屋内側の溝側片５ａに形成されるモヘアポケット５ｆと、全閉姿勢のシャッターカーテン２の屋内側面との間に形成される隙間において、スラット３の屋外側に膨出するスラット片部３ａ対向部位に位置して差し込むことにより、把持部１０ａがガイド溝５ｄから開口部側に露出する状態でガイドレール５とシャッターカーテン２との間に挟持保持されるように構成されている。このとき、握り部材作用部１０ｂの溝開口５ｅに対する保持位置は、作用部１０ｂの挿し込み方向中間部位となる第一保持部が挟持保持されている。また、握り部材１０をガイドレール５に対して挿し込む上下方向位置は、操作者が屈んだりすることなく手が届いて操作しやすい位置となっており、このようにすることにより、操作者が全閉姿勢となっているシャッターカーテン２を開放操作する場合に、無理な姿勢をすることなく操作紐９（握り部材１０）を把持することができて、円滑な操作が行えるように構成されている。
【００１８】
因みに、ガイドレール５の溝開口５ｅの屋内側部位となる屋内側のモヘアポケット５ｆとシャッターカーテン２の屋内側面との間に形成される隙間は、スラット３の形状が平板状でないが故に一定ではなく、スラット３の上下方向位置により隙間の大きさ（隙間幅）が異なる。これに対し、握り部材１０は弾性変形が自在であるうえ屋内側板面１０ｃが傾斜面に形成されていて、挿し込み方向先端側ほど板厚が薄くなる楔形状となっているので、握り部材１０をガイド溝５ｄの溝開口５ｅに形成される隙間に挿し込む場合に、溝開口５ｅに形成される隙間幅に合わせた挿し込み量（挿し込み深さ）とすることで、スラット３形状により変化する溝開口５ｅに形成される隙間の大きさに拘わらず、溝開口５ｅの何れの箇所においても握り部材１０を挟持保持させることができるように構成されている。しかるに、握り部材１０は、ガイドレール５（ガイド溝５ｄの溝開口５ｅ）への挿し込み量がある程度確保されることにより隙間への挟持保持が確実になるので、図４（Ａ）、（Ｂ）に示すように、握り部材１０をスラット３の屋外側への膨出するスラット片部３ａ対向部位に挿し込むことが好ましい。
【００１９】
そして、シャッターカーテン２を開放操作する場合では、操作者は、ガイドレール５とシャッターカーテン２との間に挿し込まれて保持されている握り部材１０の把持部１０ａを把持して隙間から抜き出し、この状態から、握り部材１０（操作紐９）を上方に向けて引き上げる上動操作をすることにより、シャッターカーテン２が開放作動するように構成されている。この場合に、操作紐９の上動操作が開始されると、操作紐９からの上動力がまず解錠レバー８ｅに作用して、解錠レバー８ｅが下方位置から上方位置に変位することによりラッチ錠Ｒが解錠し、続いて、操作紐９の上動力が上方位置にある解錠レバー８ｅを介してシャッターカーテン２の座板６に作用し、ラッチ錠Ｒを解錠したままの状態でシャッターカーテン２が開放作動するように構成されている。これによって、シャッターカーテン２の開放操作では、操作者が無理な姿勢をすることなく操作紐９（握り部材１０）を把持し、上動操作することでシャッターカーテン２の開放作動を容易に行えるように構成されている。
尚、操作紐９の上動操作が停止されて、操作紐９に作用する上動力が消失すると、解錠レバー８ｅは自動的に下方位置に復帰して自然状態となり、シャッターカーテン２の全開姿勢への変姿の過程で握り部材１０（操作紐９）から手を放すと、握り部材１０（操作紐９）は自重垂下する状態で開口部に垂下する。
【００２０】
一方、シャッターカーテン２の全開姿勢において、操作紐９が開口部に垂下した状態であると、閉鎖操作する際に操作紐９が手の届く部位に位置していて操作しやすいが、操作紐９や握り部材１０が開口部に露出して邪魔になるという問題と、強風が発生した場合に握り部材１０が周辺の部材に当接して騒音を発生するという問題を考慮する必要がある。これに対し、このものでは、握り部材１０が硬質、または、半硬質のゴム質樹脂材により構成されているため、当接音が緩衝されて消音効果が発揮され騒音の問題は防止できる。さらに、このものでは、握り部材１０の最大板厚Ｔがガイド溝５ｄの溝開口幅Ｔ１よりも長く（厚く）なるように設定されており、シャッターカーテン２が全開姿勢となって、握り部材１０をシャッターカーテン２がガイドされていない状態のガイド溝５ｄの溝開口５ｅであって、モヘアポケット５ｆの対向間に形成される溝幅Ｔ１の隙間に、作用部１０ｂ側から挿し込むことで、図４（Ｃ）、（Ｄ）に示すように、握り部材１０がガイド溝５ｄの溝開口部に挟持保持されるように構成されている。このとき、握り部材作用部１０ｂの溝開口５ｅに対する保持位置は、作用部１０ｂの挿し込み方向基端側部位（把持部１０ａ側部位）となる第二保持部が挟持保持されている。また、握り部材１０をガイドレール５に対して挿し込む位置を、操作者が背伸びることなく手が届いて操作しやすい位置とすることにより、操作者が全開姿勢となっているシャッターカーテン２を閉鎖操作する場合に、無理な姿勢をすることなく操作紐９（握り部材１０）を把持することができて、円滑な操作を操作性よく行うことができ、しかも、操作紐９や握り部材１０が邪魔になったり、強風時に握り部材１０が周辺部材に当接して騒音を発生するようなことを防止できるように構成されている。
【００２１】
そして、前記状態からシャッターカーテン２を閉鎖操作する場合では、握り部材１０の把持部１０ａを把持してガイド溝５ｄの溝開口５ｅから作用部１０ｂを抜き出し、そのまま握り部材１０（操作紐９）を把持する状態で下方に向けて引き下ろす下動操作をすることにより、該下動力が下方位置の解錠レバー８ｅを介してシャッターカーテン２に作用し、これによって、シャッターカーテン２が閉鎖作動するように構成されている。そして、シャッターカーテン２が全閉姿勢となった状態では、前述したように、握り部材１０を屈むことなく手が届く操作しやすい位置のガイド溝５ｄの溝開口５ｅの屋内側に形成される隙間に挿し込むことにより、握り部材１０をつぎの開放操作をしやすい位置に挟持保持できるように構成されている。
このように、操作紐９の他端部９ｂに握り部材１０を設けることにより、シャッターカーテン２の開閉操作をする場合に、無理な姿勢をすることなく操作紐９を把持できて、シャッターカーテン２の開閉操作が円滑、かつ、容易にできるばかりでなく、シャッターカーテン２の全開姿勢において握り部材１０が邪魔になったり、強風に煽られて騒音が発生するようなことを防止できるように構成されている。
【００２２】
さらに、握り部材１０の作用部１０ｂにおける屋内側板面１０ｃには屋内側に突出する突起１０ｇが傾斜方向に所定間隔を存して複数形成されるが、これら突起１０ｇは、傾斜方向に直交する方向（握り部材１０のガイド溝５ｄへの挿し込み方向（左右方向）に直交する方向）であって、挿し込み状態において上下方向に長い形状となっている。これら突起１０ｇの前記所定間隔は、ガイドレール５のモヘアポケット５ｆに形成される抜止め片５ｇの左右方向幅Ｔ２に外嵌可能な長さに設定されている。これによって、握り部材１０は、突起１０ｇを弾性変形させる状態でガイド溝５ｄの溝開口５ｅに形成される隙間に挿し込み、突起１０ｇと突起１０ｇとの間に抜止め片５ｇが位置する状態とすることで、握り部材１０を溝開口５ｅに形成される隙間に確実に、しかも、ガイドレール５に対して傾いた姿勢となるようなことなく挟持保持させることができるように構成されている。因みに、溝開口５ｅに形成される隙間から握り部材１０を抜き出す場合、突起１０ｇを弾性変形させる状態で抜き出すことになるが、突起１０ｇの突出量は小さく、大きな抜き出し力が必要になるようなことはない。
【００２３】
尚、シャッターカーテンを構成するスラットには種々の仕様があり、このため、ガイドレールガイド溝５ｄの溝開口５ｅの屋内側に形成される隙間の大きさが各スラットの仕様毎に異なることになるが、握り部材１０は楔形状に形成されているため挿し込み深さを変えることで、異なる仕様のスラットにも対応できるように構成されている。
図５（Ａ）、（Ｂ）に示すスラット１１は、前記スラット３とは異なり屋内側に膨出するスラット片部１１ａを備えたものに構成されており、この場合では、ガイド溝５ｄの溝開口５ｅに形成される隙間において、スラット１１同士の連結部対向部位に握り部材１０を挿し込むことで挿し込み深さを深くすることができて、握り部材１０の確実な挟持保持を行うことができる。
また、図５（Ｃ）、（Ｄ）に示すスラット１２は、屋外側に膨出するスラット片部１２ａを備えているが、前記スラット３とは連結部の形状が異なるものとなっている。そして、この場合では、溝開口５ｅの屋内側に形成される隙間において、スラット片部１２ａ対向部位に握り部材１０を差し込むことで挿し込み深さを深くすることができて、握り部材１０の確実な挟持保持を行うことができる。
さらに、図５（Ｅ）、（Ｆ）に示すスラット１３は、前記スラット１２を屋内外に対向する面を逆転し、スラット片部１３ａが屋内側に膨出しているが、このものでは、溝開口５ｅの屋内側に形成される隙間において、スラット１３同士の連結部対向部位に握り部材１０を差し込むことで挿し込み深さを深くすることができて、握り部材１０の確実な挟持保持を行うことができる。
このように、握り部材１０は、作用部１０ｂを楔形状とすることにより、挿し込み深さを調整することで異なる形状のスラットにも対応することができて、汎用性が高く、部材の共通化を図れるようになるうえ、ガイドレール５にシャッターカーテン２がガイドされている状態、ガイドされていない状態の何れに対しても、握り部材１０を同じ挿し込み方向で挿し込むことで溝開口５ｅに形成される隙間に挟持保持させることができて、簡単な構成でありながら多様な機能を発揮できるうえ、操作性にも優れるように構成されている。
【００２４】
叙述の如く構成された本形態において、操作紐９の操作によりラッチ錠Ｒの解錠とともにシャッターカーテン２の開放、閉鎖をすることができるものであるが、操作紐９の他端部９ｂには握り部材１０が設けられていて、シャッターカーテン２の全閉姿勢において、握り部材１０をガイドレールガイド溝５ｄの溝開口５ｅの屋内側に形成される隙間の操作しやすい高さ位置に挿し込んで挟持保持させることで、操作者が無理な姿勢をすることなく操作紐９を把持して上動操作を行い、ラッチ錠Ｒの解錠とシャッターカーテン２の開放操作をすることができる。しかも、この場合に、操作紐９を操作しやすい位置に保持するための手段として、握り部材１０の作用部１０ｂを溝開口５ｅに挿し込み、挿し込み方向中間部に形成される第一保持部がガイド溝５ｄの溝開口５ｅの屋内側に形成される隙間に挟持保持する構成としたので、従来の握り部材に磁石を設けるもののように、シャッターカーテン２の材料を磁石が磁着可能なものに限定する必要がなく、汎用性を高めることが可能となる。
【００２５】
さらに、本発明が実施されたものにあっては、シャッターカーテン２の全閉姿勢において、操作紐９の他端部９ｂに設けた握り部材１０をガイド溝５ｄの溝開口５ｅの屋内側に形成される隙間に差し込むことで、操作紐９によるシャッターカーテン２の開放操作を操作性よく行えるものであるが、このものでは、前記作用部１０ｂを楔形状とし、さらに最大板厚Ｔを溝開口５ｅの溝開口幅Ｔ１より大きく設定したので、スラット３の形状により隙間の大きさが変化しても、作用部１０ｂの挿し込み深さを変えることで隙間に挟持保持させることができて挿し込む位置を限定されることがなく、操作性に優れる。しかも、シャッターカーテン２が全開姿勢の場合では、作用部１０ｂの挿し込み深さを深くすることで挿し込み方向基端側の第二保持部に相当する部位が、シャッターカーテン２がガイドされていない状態のガイド溝５ｄの溝開口５ｅに挟持保持されることになって、操作紐９を無理な姿勢をすることなく把持できる高さ位置に保持して操作性のさらなる改善を図れるものでありながら、操作紐９が邪魔になったり騒音が発生するようなことがないようにできる。
【００２６】
そのうえ、このものでは、握り部材１０の作用部１０ｂを挿し込み方向先端側ほど板厚が薄くなる楔形状とすることで、第一、第二の保持部の両者が作用部１０ｂに形成されるので、挿し込み方向を変える必要がなく操作性に優れるうえ、部材構成の簡略化、部品点数の削減に寄与でき、しかも、異なる形状のスラット１１、１２、１３を用いた場合でも同様の握り部材１０を用いることができ、部材の共通化を図ることが可能となる。
【００２７】
しかも、このものでは、作用部１０ｂの屋内側面１０ｃに突起１０ｆが形成されているので、隙間への挟持保持が確実で、しかも、抜き挿し操作を円滑に行えるという利点がある。
また、このものにおいて、握り部材１０は、硬質、または、半硬質のゴム質樹脂材を用いて構成されているので、ガイド溝５ｄの溝開口５ｅに形成される隙間への挿し込みが容易なうえ、シャッターカーテン２の開放時に握り部材１０が開口部に垂下する状態となって周辺の部材に当接したとしても緩衝、消音効果が発揮されて騒音防止を図れるという利点もある。
【００２８】
尚、本発明は前期実施の形態に限定されないことは勿論であって、施錠装置としては、前述のラッチ式のものに限定されることはなく、解錠部材が、シャッターカーテンの開放方向の変位で解錠操作されるものであれば、どのような解錠装置であっても採用することができる。因みに、他の解錠装置としては、床側の水切り部やガイドレールの溝底片に設けた係止受けに係脱自在に係止する係止具が設けられる施錠装置等とすることができる。また、シャッターカーテンの開放方向の変位で解錠操作される解錠部材としては、シャッターカーテンの幅方向全長にわたって設けられる解錠操作具であってもよい。
【００２９】
つぎに、図６、７に示す第二の実施の形態について説明する。尚、第二の実施の形態において、第一の実施の形態と同様の構成の部材については同様の符号を付すことにより説明を省略する。
第二の実施の形態において、握り部材１４は、硬質、または、半硬質のゴム質樹脂材を用い、長尺方向一半部に形成される把持部１４ａと、長尺方向他半部に形成され、ガイド溝５ｄの溝開口５ｅに形成される隙間に挿抜自在に挿し込まれる作用部１４ｂとが形成され、前記作用部１４ｂが屋内外一対の板面１４ｃ、１４ｄを備えていることは前記第一の実施の形態と同様である。そして、このものでは、前記屋内側板面１４ｃに、屋外側板面１４ｄと平行となる複数の段差面１４ｅを、ガイドレール５への挿し込み方向先端側ほど屋外側板面１４ｄ側に位置するよう順次段差状（階段状）に形成することにより、屋内側板面１４ｃが傾斜状となっており、これによって、作用部１４ｂは挿し込み方向先端側ほど板厚が薄くなるように形成されているとともに、握り部材１４の作用部１４ｂの最大板厚Ｔ３は、ガイドレール５のガイド溝５ｄの溝開口部における溝幅Ｔ１よりも長く（幅広に）設定されている。そして、握り部材１４（作用部１４ａ）は、ガイド溝５ｄの溝開口５ｅに形成される隙間に挿し込んだとき挿し込み深さに応じて板厚が段階的に変化して、スラット３の対向部位に応じて変化する隙間の大きさに拘わらず挟持保持される挿し込み方向先端側の第一保持部と、シャッターカーテン２が嵌挿されていないガイドレール５の溝開口５ｅに挟持保持される基端側の第二保持部とが形成されるように構成されている。
尚、操作紐９は、握り部材１４の上下方向何れかの端面から引出されるように構成されている。
【００３０】
さらに、前記握り部材１４の段差面１４ｅの挿し込み方向の長さ（握り部材１４の挿し込み状態において左右方向の長さ）は、ガイドレール５のモヘアポケット５ｆの左右方向長さに相当しており、各段差面１４ｅの他端側縁部には突起１４ｆがそれぞれ設けられている。これによって、握り部材１４を溝開口５ｅに形成される隙間に挿し込んだとき、段差面１４ｅと突起１４ｆ、さらには、前記段差面１４ｅの一端側の段差面１４ｅを構成するための段差部１４ｇとがモヘアポケット５ｆを外嵌する状態となり、溝開口５ｅの隙間に確実に、しかも、握り部材１４が傾くことなく挟持保持されるように構成されている。尚、突起１４ｆの突出量は、握り部材１４を円滑に抜き出すことができる程度に形成されていることは、前記第一の実施の形態と同様である。
【００３１】
このように構成された握り部材１４は、シャッターカーテン２の全閉姿勢では、図７（Ａ）、（Ｂ）に示すように、ガイド溝５ｄの溝開口５ｅの屋内側に形成される隙間であって、シャッターカーテン２の屋内側面とガイドレール５の屋内側溝側片５ａに形成されるモヘアポケット５ｆとの間に形成される隙間に浅く挿し込まれて挿し込み方向先端側の第一保持部が挟持保持され、シャッターカーテン２の全開姿勢では、図７（Ｃ）、（Ｄ）に示すように、ガイド溝５ｄの溝開口５ｅに深く差し込まれて挿し込み方向基端側の第二保持部が挟持保持される。この場合に、握り部材１４をガイドレール５の操作しやすい高さ位置に挟持保持することにより、無理な姿勢をすることなく操作紐９を把持することができて、操作性よくシャッターカーテン２の開閉操作を行うことができる。そして、このようにすることにより、シャッターカーテン２の材質に拘わらず操作紐を所定の高さ位置に保持することができるうえ、シャッターカーテン２の全開姿勢においても操作紐９が強風に煽られないようにすることができる。
さらに、握り部材１４は、種々の仕様のシャッターカーテンに対応することができ、図７（Ｅ）、（Ｆ）に示すスラット１１、図７（Ｇ）、（Ｈ）に示すスラット１２、図７（Ｉ）、（Ｊ）に示すスラット１３に対して用いることができて、汎用性の高い握り部材１４となっている。
【００３２】
つぎに、図８、９に示す第三の実施の形態について説明する。尚、第三の実施の形態を説明するにあたり、第一の実施の形態と同様の構成の部材については同様の符号を付すことにより説明を省略する。
第三の実施の形態において、握り部材１５は、硬質、または、半硬質のゴム質樹脂材を用い、長尺方向一半部に形成される厚板状の把持部１５ａと、該把持部１５ａの他端側に形成され、ガイド溝５ｄの溝開口５ｅに形成される隙間に挿抜自在に挿し込まれる作用部１５ｂと、該作用部１５ｂの挿し込み方向先端側に形成されて、作用部１５ｂに先行してガイド溝５ｄに挿し込まれ、握り部材１５のガイド溝５ｄに対する挿し込み深さを深くする薄板状の誘導部１５ｃとにより構成されている。
つまり、握り部材１５は、図８に示すように、屋内外一対の板面１５ｄ、１５ｅのうち、作用部１５ｂにおける屋内側板面１５ｄは、挿し込み方向先端側ほど屋外側板面１５ｅ側に偏寄する傾斜面となって作用部１５ｂが楔形状となるように形成されており、作用部１５ｂの最大の板厚となり、かつ、把持部１５ａにおける板厚となる握り部材１５の最大板厚Ｔ４は、ガイド溝５ｄの溝開口５ｅの溝幅Ｔ１よりも長く寸法設定されており、これによって、握り部材１５の作用部１５ｂには、ガイド溝５ｄの溝開口５ｅに形成される隙間に挿し込んだとき、挿し込み深さに応じて板厚が変化して、スラット３の形状により変化する溝開口５ｅに形成される隙間の大きさに拘わらず挟持保持される第一保持部と、シャッターカーテン２が嵌挿されていないガイドレール５の溝開口５ｅに挟持保持される第二保持部とが形成されている。
【００３３】
そして、作用部１５ｂの挿し込み方向先端側である誘導部１５ｃにおける屋内側板面１５ｄは、作用部１５ｂの最小板厚となる板面に続く平板面を備えており、これによって、誘導部１５ｃが平板面を有した薄板状となるように構成されている。さらに、誘導部１５ｃの先端部において、上下方向中間部が先端側に膨出する円弧状に形成されているとともに、板厚方向（屋内外方向）中間部が先端側に膨出する円弧状に形成されていて、上下、屋内外端部の角が取れた状態となっており、これによって、溝開口５ｅへの挿し込み操作が円滑、かつ、容易になるように構成されている。
また、握り部材１５の挿し込み方向基端側である把持部１５ａにおける屋内側板面１５ｄは上下方向中間部が屋内側に膨出する円弧面に形成されているとともに、基端面（一端面）は上下方向中間部が基端側に膨出する円弧状に形成されている。さらに、握り部材１５のシャッターカーテン２の屋内側のカーテン面に当接（対向）する屋外側板面１５ｅは、上下方向中間部が屋外側に膨出する湾曲（円弧）状に形成されており、これによって、上下、屋内外端部の角が取れ、握り部材１５全体が丸みを帯びて握りやすい形状となっている。しかも、握り部材１５を溝開口５ｅに挿し込む場合に、湾曲状となった屋外側板面１５ｅをシャッターカーテン２（スラット３）の湾曲状のカーテン面（スラット面）に沿わせて挿し込むことができて挿し込み操作が円滑にできるうえ、挿し込まれた握り部材１５とスラット３との接触面積を大きく確保することができ、握り部材１５を溝開口５ｅに挟持保持した状態が安定し、一層確実な挟持保持となるように構成されている。
尚、屋外側板面１５ｅには屋内側に向けて凹設された一対の肉盗みとしての凹部１５ｆが左右に隣接する状態で形成されている。そして、握り部材１５に連結される操作紐９は、基端側に形成された凹部１５ｆに連通して形成された引き出し用孔１５ｇを介して基端面から引出されるように構成されている。
【００３４】
さらに、作用部１５ｂにおける屋内側板面１５ｄには、屋内側に突出する突起１５ｈが傾斜方向に所定間隔を存して複数形成されるが、これら突起１５ｈは、傾斜方向に直交する方向であって、挿し込み状態において上下方向に長い形状となっている。これによって、握り部材１５をガイド溝５ｄの溝開口５ｅに挿し込む場合に、隣接する突部１５ｈ同士の間にガイドレール５のモヘアポケット５ｆの抜止め片５ｇを入り込ませるように挿し込むことにより、溝開口５ｅの隙間に確実に、しかも、握り部材１５が傾くことなく挟持保持されるように構成されている。尚、突起１５ｈの突出量は、握り部材１５を円滑に抜き挿しできる程度に形成されていることは、前記第一の実施の形態と同様である。
【００３５】
このように構成された握り部材１５は、シャッターカーテン２の全閉姿勢では、図９（Ａ）、（Ｂ）に示すように、ガイド溝５ｄの溝開口５ｅの屋内側に形成される隙間であって、シャッターカーテン２の屋内側面とガイドレール５の屋内側溝側片５ａに形成されるモヘアポケット５ｆとの間に形成される隙間に挿し込まれて挿し込み方向中間部の第一保持部が挟持保持され、シャッターカーテン２の全開姿勢では、図９（Ｃ）、（Ｄ）に示すように、ガイド溝５ｄの溝開口５ｅに深く差し込まれて挿し込み方向基端側の第二保持部が挟持保持される。この場合に、握り部材１５をガイドレール５の操作しやすい高さ位置に挟持保持させることにより、無理な姿勢をすることなく操作紐９を把持することができて、操作性よくシャッターカーテン２の開閉操作を行うことができる。そして、このようにすることにより、シャッターカーテン２の材質に拘わらず操作紐９を所定の高さ位置に保持することができるうえ、シャッターカーテン２の全開姿勢においても操作紐９が強風に煽られないようにすることができる。
さらに、握り部材１５は、種々の仕様のシャッターカーテンに対応することができ、図９（Ｅ）、（Ｆ）に示すスラット１１、図９（Ｇ）、（Ｈ）に示すスラット１２、図９（Ｉ）、（Ｊ）に示すスラット１３に対して用いることができて、汎用性の高い握り部材１５となっている。
因みに、本実施の形態の握り部材１５を図９（Ｉ）、（Ｊ）に示すスラット１３に対して用いた場合、握り部材１５は、作用部１５ｂの先端側部位が溝開口５ｅに挟持保持される状態となるが、この場合に、作用部１５ｂの先端側に誘導部１５ｃが形成されていて、握り部材１５のガイド溝１５ｄに対する挿し込み深さを深くすることが可能となり、握り部材１５が安定した姿勢を確保した状態で溝開口５ｅに挟持保持されるという利点がある。
【産業上の利用可能性】
【００３６】
本発明は、住宅等の建築物の開口部に設けられる建築用開閉装置に利用することができる。
【符号の説明】
【００３７】
１  シャッター装置
２  シャッターカーテン
３  スラット
３ａ  スラット片部
４  巻取りドラム
５  ガイドレール
５ｅ  溝開口
６  座板
８  錠ユニット
９  操作紐
１０  握り部材
１０ｂ  作用部
１０ｃ  屋内側板面
１０ｅ  引き出し用孔
１０ｆ  突起
【図１】
2010248886.tif 000003
【図２】
2010248886.tif 000004
【図３】
2010248886.tif 000005
【図４】
2010248886.tif 000006
【図５】
2010248886.tif 000007
【図６】
2010248886.tif 000008
【図７】
2010248886.tif 000009
【図８】
2010248886.tif 000010
【図９】
2010248886.tif 000011